(57)【特許請求の範囲】
【請求項１】
複数の医療機関に設けられて患者の医療情報を入力自在な医療機関用端末と、患者の医療情報を保存するサーバとを備えて患者の医療情報を管理する医療情報管理クラウドシステムであって、
前記サーバが、前記医療機関用端末において入力された患者の医療情報を医療機関毎に保存し、患者の操作によって患者のユーザー端末に表示された２次元コードを、医療機関用端末によって読み取ることで患者の情報開示についての患者による同意する操作の有無を判定し、同意する操作ありの場合、前記医療機関用端末に対して端末を特定する情報としてのインターネット・プロトコル・アドレス情報およびメディア・アクセス・コントロール・アドレス情報を要求し、
前記医療機関用端末が、前記サーバからの要求に基づいて端末を特定する情報としてのインターネット・プロトコル・アドレス情報およびメディア・アクセス・コントロール・アドレス情報を送信し、
前記サーバが、前記端末を特定する情報としてのインターネット・プロトコル・アドレス情報およびメディア・アクセス・コントロール・アドレス情報に基づいて医療機関用端末のみに対して同意する操作があった患者の医療情報についての閲覧制限を所定期間解除し、
前記医療機関用端末のブラウザが、前記同意する操作のあった患者についての医療情報を表示する構成であることを特徴とする医療情報管理クラウドシステム。
【請求項２】
前記２次元コードが、前記患者のユーザー端末またはサーバによって所定時間毎に変更して生成される構成であることを特徴とする請求項１に記載の医療情報管理クラウドシステム。
【請求項３】
前記サーバが、前記医療機関用端末および患者のユーザー端末の少なくとも一方における患者による医療機関を指定する操作および患者の情報開示についての患者による同意する操作の有無を判定し、指定する操作および同意する操作ありの場合、同意する操作があった患者についての指定された医療機関における医療情報についての閲覧制限を所定期間解除し、
前記医療機関用端末のブラウザが、前記同意する操作のあった患者についての指定された医療機関における医療情報を表示する構成であることを特徴とする請求項１または請求項２に記載の医療情報管理クラウドシステム。
【請求項４】
前記医療機関用端末のブラウザが、前記同意する操作のあった患者についての指定された医療機関における医療情報を時系列順に表示切り替え自在な構成であることを特徴とする請求項１乃至請求項３のいずれか１つに記載の医療情報管理クラウドシステム。
【請求項５】
複数の医療機関に設けられて患者の医療情報を入力自在な医療機関用端末と、患者の医療情報を保存するサーバとを備えて患者の医療情報を管理する医療情報管理クラウドシステムのプログラムであって、
前記サーバが、前記医療機関用端末において入力された患者の医療情報を医療機関毎に保存する医療情報保存ステップと、
患者の操作によって患者のユーザー端末に表示された２次元コードを、医療機関用端末によって読み取ることで、前記サーバが、患者の情報開示についての患者による同意する操作の有無を判定する同意有無判定ステップと、
前記同意する操作ありの場合、前記サーバが、前記医療機関用端末に対して端末を特定する情報としてのインターネット・プロトコル・アドレス情報およびメディア・アクセス・コントロール・アドレス情報を要求し、前記医療機関用端末が、前記サーバからの要求に基づいて端末を特定する情報としてのインターネット・プロトコル・アドレス情報およびメディア・アクセス・コントロール・アドレス情報を送信し、前記サーバが、前記端末を特定する情報としてのインターネット・プロトコル・アドレス情報およびメディア・アクセス・コントロール・アドレス情報に基づいて医療機関用端末のみに対して同意する操作があった患者の医療情報についての閲覧制限を所定期間解除する閲覧制限解除ステップと、
前記医療機関用端末のブラウザが、前記同意する操作のあった患者についての医療情報を表示する医療情報表示ステップとを具備していることを特徴とする医療情報管理クラウドシステムのプログラム。
【発明の詳細な説明】
【技術分野】
【０００１】
本発明は、複数の医療機関に設けられて患者の医療情報を入力自在な医療機関用端末と、患者の医療情報を保存するサーバとを備えて患者の医療情報を管理する医療情報管理クラウドシステム、および、そのプログラムに関する。
【背景技術】
【０００２】
従来、電子カルテサーバと、情報共有サーバ（サーバ装置）と、ユーザー端末（端末装置）と、管理者端末（端末装置）とを備え、病院において複数の職種のスタッフ（業務内容が互いに異なる複数のスタッフ）同士で共有可能に医療情報を表示する医療情報表示システムが知られている（例えば、特許文献１）。
【先行技術文献】
【特許文献】
【０００３】
【特許文献１】特開２０１９−１２０９９０号公報（特に、段落００２９、図１参照）
【発明の概要】
【発明が解決しようとする課題】
【０００４】
しかしながら、上述した従来の医療情報表示システムは、１つの病院内のネットワークにおいて情報を共有する構成であったため、患者が複数の医療機関を利用した際に、患者が、先の医療機関の紹介なしで患者自身の意思などの理由により、後の医療機関に行ったとき、患者の医療情報を有する先の医療機関の患者の検査結果や診断結果などの医療情報を後の医療機関が利用することができず、重複検査や重複診断による医療費や時間の負担が大きいという問題があった。
【０００５】
そこで、本発明は、前述したような従来技術の問題を解決するものであって、すなわち、本発明の目的は、患者の医療情報を有する先の医療機関と異なる後の医療機関は、患者の医療情報を有する先の医療機関の患者の検査結果や診断結果などの医療情報を簡単に取得して患者を診察する際に役立てることができる医療情報管理クラウドシステム、および、そのプログラムを提供することである。
【課題を解決するための手段】
【０００６】
本請求項１に係る発明は、複数の医療機関に設けられて患者の医療情報を入力自在な医療機関用端末と、患者の医療情報を保存するサーバとを備えて患者の医療情報を管理する医療情報管理クラウドシステムであって、前記サーバが、前記医療機関用端末において入力された患者の医療情報を医療機関毎に保存し、患者の操作によって患者のユーザー端末に表示された２次元コードを、医療機関用端末によって読み取ることで患者の情報開示についての患者による同意する操作の有無を判定し、同意する操作ありの場合、前記医療機関用端末に対して端末を特定する情報としてのインターネット・プロトコル・アドレス情報およびメディア・アクセス・コントロール・アドレス情報を要求し、前記医療機関用端末が、前記サーバからの要求に基づいて端末を特定する情報としてのインターネット・プロトコル・アドレス情報およびメディア・アクセス・コントロール・アドレス情報を送信し、前記サーバが、前記端末を特定する情報としてのインターネット・プロトコル・アドレス情報およびメディア・アクセス・コントロール・アドレス情報に基づいて医療機関用端末のみに対して同意する操作があった患者の医療情報についての閲覧制限を所定期間解除し、前記医療機関用端末のブラウザが、前記同意する操作のあった患者についての医療情報を表示する構成であることにより、前述した課題を解決するものである。
【０００８】
本請求項２に係る発明は、請求項１に記載された医療情報管理クラウドシステムの構成に加えて、前記２次元コードが、前記患者のユーザー端末またはサーバによって所定時間毎に変更して生成される構成であることにより、前述した課題をさらに解決するものである。
【００１０】
本請求項３に係る発明は、請求項１または請求項２に記載された医療情報管理クラウドシステムの構成に加えて、前記サーバが、前記医療機関用端末および患者のユーザー端末の少なくとも一方における患者による医療機関を指定する操作および患者の情報開示についての患者による同意する操作の有無を判定し、指定する操作および同意する操作ありの場合、同意する操作があった患者についての指定された医療機関における医療情報についての閲覧制限を所定期間解除し、前記医療機関用端末のブラウザが、前記同意する操作のあった患者についての指定された医療機関における医療情報を表示する構成であることにより、前述した課題をさらに解決するものである。
【００１１】
本請求項４に係る発明は、請求項１乃至請求項３のいずれか１つに記載された医療情報管理クラウドシステムの構成に加えて、前記医療機関用端末のブラウザが、前記同意する操作のあった患者についての指定された医療機関における医療情報を時系列順に表示切り替え自在な構成であることにより、前述した課題をさらに解決するものである。
【００１２】
本請求項５に係る発明は、複数の医療機関に設けられて患者の医療情報を入力自在な医療機関用端末と、患者の医療情報を保存するサーバとを備えて患者の医療情報を管理する医療情報管理クラウドシステムのプログラムであって、前記サーバが、前記医療機関用端末において入力された患者の医療情報を医療機関毎に保存する医療情報保存ステップと、患者の操作によって患者のユーザー端末に表示された２次元コードを、医療機関用端末によって読み取ることで、前記サーバが、患者の情報開示についての患者による同意する操作の有無を判定する同意有無判定ステップと、前記同意する操作ありの場合、前記サーバが、前記医療機関用端末に対して端末を特定する情報としてのインターネット・プロトコル・アドレス情報およびメディア・アクセス・コントロール・アドレス情報を要求し、前記医療機関用端末が、前記サーバからの要求に基づいて端末を特定する情報としてのインターネット・プロトコル・アドレス情報およびメディア・アクセス・コントロール・アドレス情報を送信し、前記サーバが、前記端末を特定する情報としてのインターネット・プロトコル・アドレス情報およびメディア・アクセス・コントロール・アドレス情報に基づいて医療機関用端末のみに対して同意する操作があった患者の医療情報についての閲覧制限を所定期間解除する閲覧制限解除ステップと、前記医療機関用端末のブラウザが、前記同意する操作のあった患者についての医療情報を表示する医療情報表示ステップとを具備していることにより、前述した課題を解決するものである。
【発明の効果】
【００１３】
本発明の医療情報管理クラウドシステムは、複数の医療機関に設けられて患者の医療情報を入力自在な医療機関用端末と、患者の医療情報を保存するサーバとを備えていることにより、患者の医療情報を管理することができるばかりでなく、以下のような特有の効果を奏することができる。
【００１４】
本請求項１に係る発明の医療情報管理クラウドシステムによれば、患者の医療情報を有する医療機関と異なる医療機関において患者が同意する操作をすると閲覧制限が所定期間解除されて、患者の医療情報を有する医療機関と異なる医療機関の医療機関用端末において同意する操作のあった患者についての医療情報が表示されるため、患者の医療情報を有する医療機関と異なる医療機関は、患者の医療情報を有する医療機関の患者の検査結果や診断結果などの医療情報を簡単に取得して患者を診察する際に役立てることができる。
つまり、別の医療機関による重複検査や重複診断を回避して医療費や時間の負担を削減することができる。
さらに、患者による同意する操作の認証が２次元コードの表示および読み取りによって行われるため、患者は同意する操作を簡単に行うことができる。
また、医療機関用端末が特定されるため、その医療機関用端末のみに対して閲覧制限を所定期間解除してセキュリティを高めることができる。
【００１６】
本請求項２に係る発明の医療情報管理クラウドシステムによれば、請求項１に係る発明が奏する効果に加えて、２次元コードが所謂、ワンタイムパスワード認証となるため、セキュリティを強化することができる。
【００１８】
本請求項３に係る発明の医療情報管理クラウドシステムによれば、請求項１または請求項２に係る発明が奏する効果に加えて、患者が指定した医療機関における患者の医療情報のみが医療機関用端末のブラウザに表示されるため、患者が開示したくない医療情報については閲覧制限をかけたままにして患者のプライバシーを尊重することができる。
【００１９】
本請求項４に係る発明の医療情報管理クラウドシステムによれば、請求項１乃至請求項３のいずれか１つに係る発明が奏する効果に加えて、同じ検査項目の検査結果が時系列順に並んで表示されるため、検査結果の古い新しいによって取捨選択することができる。
さらに、同じ検査を複数行った場合について、検査結果の値の増減傾向がわかるため、医師は患者の健康状態がよくなっているのか否かを簡単に判断することができる。
また、患者の既往歴が時系列順に並んで表示されるため、医師は患者の既往歴を時系列順に簡単に確認することができる。
【００２０】
本請求項７に係る発明の医療情報管理クラウドシステムのプログラムによれば、請求項１に係る発明が奏する効果と同様、患者の医療情報を有する医療機関と異なる医療機関において患者が同意する操作をすると閲覧制限が所定期間解除されて、患者の医療情報を有する医療機関と異なる医療機関の医療機関用端末において同意する操作のあった患者についての医療情報が表示されるため、患者の医療情報を有する医療機関と異なる医療機関は、患者の医療情報を有する医療機関の患者の検査結果や診断結果などの医療情報を簡単に取得して患者を診察する際に役立てることができる。
つまり、別の医療機関による重複検査や重複診断を回避して医療費や時間の負担を削減することができる。
さらに、患者による同意する操作の認証が２次元コードの表示および読み取りによって行われるため、患者は同意する操作を簡単に行うことができる。
また、医療機関用端末が特定されるため、その医療機関用端末のみに対して閲覧制限を所定期間解除してセキュリティを高めることができる。
【図面の簡単な説明】
【００２１】
【図１】本発明の実施例である医療情報管理クラウドシステムの概念を示す図。
【図２】本発明の実施例である医療情報管理クラウドシステムの動作例を示すチャート図。
【図３】（Ａ）（Ｂ）は本発明の実施例である医療情報管理クラウドシステムのコンピュータ端末のブラウザの医療情報管理画面の一例を示す図。
【図４】本発明の実施例である医療情報管理クラウドシステムのコンピュータ端末のブラウザの医療情報管理画面の一例を示す図。
【発明を実施するための形態】
【００２２】
本発明の医療情報管理クラウドシステムは、複数の医療機関に設けられて患者の医療情報を入力自在な医療機関用端末と、患者の医療情報を保存するサーバとを備え、サーバが、医療機関用端末において入力された患者の医療情報を医療機関毎に保存し、医療機関用端末および患者のユーザー端末の少なくとも一方における患者の情報開示についての患者による同意する操作の有無を判定し、同意する操作ありの場合、同意する操作があった患者の医療情報についての閲覧制限を所定期間解除し、医療機関用端末のブラウザが、同意する操作のあった患者についての医療情報を表示する構成であることにより、患者の医療情報を有する医療機関と異なる医療機関は、患者の医療情報を有する医療機関の患者の検査結果や診断結果などの医療情報を簡単に取得して患者を診察する際に役立てることができるものであれば、その具体的な実施態様は、如何なるものであっても構わない。
また、本発明の医療情報管理クラウドシステムのプログラムは、サーバが、医療機関用端末において入力された患者の医療情報を医療機関毎に保存する医療情報保存ステップと、サーバが、医療機関用端末および患者のユーザー端末の少なくとも一方における患者の情報開示についての患者による同意する操作の有無を判定する同意有無判定ステップと、同意する操作ありの場合、サーバが、同意する操作があった患者の医療情報についての閲覧制限を所定期間解除する閲覧制限解除ステップと、医療機関用端末のブラウザが、同意する操作のあった患者についての医療情報を表示する医療情報表示ステップとを具備していることにより、患者の医療情報を有する医療機関と異なる医療機関は、患者の医療情報を有する医療機関の患者の検査結果や診断結果などの医療情報を簡単に取得して患者を診察する際に役立てることができるものであれば、その具体的な実施態様は、如何なるものであっても構わない。
【００２３】
例えば、医療機関用端末は、デスクトップ型パーソナルコンピュータ端末、ノート型パーソナルコンピュータ端末、スマートフォン端末、タブレット端末など表示部と操作部とを有して情報を送受信するものであって、所謂インターネットである広域ネットワーク、ローカルネットワーク、電話回線などを含む通信ネットワークによりサーバと接続自在なものであれば如何なるものであっても構わない。
さらに、患者のユーザー端末は、持ち運び自在なノート型パーソナルコンピュータ端末、スマートフォン端末、タブレット端末など表示部と操作部とを有して情報を送受信するものであって、所謂インターネットである広域ネットワーク、ローカルネットワーク、電話回線などを含む通信ネットワークによりサーバと接続自在なものであれば如何なるものであっても構わない。
また、サーバは、１つのサーバやクラウド上の複数のサーバでもよい。
【実施例】
【００２４】
以下に、本発明の実施例である医療情報管理クラウドシステム１００について、図１乃至図３（Ｂ）に基づいて説明する。
ここで、図１は、本発明の実施例である医療情報管理クラウドシステム１００の概念を示す図であり、図２は、本発明の実施例である医療情報管理クラウドシステム１００の動作例を示すチャート図であり、図３（Ａ）は、本発明の実施例である医療情報管理クラウドシステム１００のコンピュータ端末１１０Ｂのブラウザ１１１の同意認証前の医療情報管理画面１１２の一例を示す図であり、図３（Ｂ）は、同意認証後の医療情報管理画面１１２で血液の検査情報ＭＤの時系列表示例を示す図であり、図４は、同意認証後の医療情報管理画面１１２でレントゲンの検査情報ＭＤの表示例を示す図である。
【００２５】
本発明の実施例である医療情報管理クラウドシステム１００は、図１に示すように、複数の医療機関に設けられて患者の医療情報を入力自在な医療機関用端末の一例であるタブレット端末１１０Ａおよびコンピュータ端末１１０Ｂと、患者の医療情報を保存するサーバ１２０と、患者のユーザー端末の一例であるスマートフォン端末１３０とを備えている。
このうち、タブレット端末１１０Ａは、医療機関としてのＡ医院に設けられている。
また、コンピュータ端末１１０Ｂは、医療機関としてのＢ医院に設けられている。
さらに、患者のスマートフォン端末１３０は、患者に携行されている。
【００２６】
そして、先ず、患者が、Ａ医院に行き、診察および検査を受けたとする。
Ａ医院では、医師などの医療機関担当者が、タブレット端末１１０Ａを用いて医療情報管理クラウドシステム１００にログインして、患者についての診察内容、診察結果、検査内容および検査結果（検査情報ＭＤ）についての情報をタブレット端末１１０Ａに入力する。
すると、入力された患者の医療情報が、タブレット端末１１０Ａからサーバ１２０へ送信され、サーバ１２０が、タブレット端末１１０Ａから受信した患者の医療情報を保存するように構成されている。
【００２７】
ここで、患者が、Ａ医院に通院した後、Ａ医院からの紹介なしで患者自身の意思などの理由により、Ｂ医院に行き、診察を受けることになったとする。
患者は、Ｂ医院の医師の診察を受ける。
本実施例では、サーバ１２０が、医療機関用端末であるＢ医院のコンピュータ端末１１０Ｂおよび患者のスマートフォン端末１３０の少なくとも一方における患者の情報開示についての患者による同意する操作の有無を判定し、同意する操作ありの場合、同意する操作があった患者の医療情報についての閲覧制限を所定期間解除するように構成されている。
【００２８】
例えば、患者が、スマートフォン端末１３０を用いて医療情報管理クラウドシステム１００にログインし、Ａ医院が入力した患者自身の診察内容、診察結果、検査内容および検査結果についての情報の開示（閲覧）について同意する操作をする。
同意する操作の一例として、患者のスマートフォン端末１３０に所定の２次元コード１３１を表示する。
【００２９】
そして、Ｂ医院のコンピュータ端末１１０Ｂのカメラを用いた２次元コードリーダー機能により、患者のスマートフォン端末１３０に表示された２次元コード１３１を読み取る。
すると、サーバ１２０が、同意する操作ありと判定し、同意する操作があった対象であるＡ医院において入力された患者の医療情報についての閲覧制限を所定期間解除する。
そして、Ｂ医院のコンピュータ端末１１０Ｂのブラウザ１１１が、サーバ１２０にアクセスして、同意する操作のあった患者についての医療情報を表示するように構成されている。
【００３０】
これにより、患者の医療情報を有する医療機関としてのＡ医院と異なる医療機関としてのＢ医院において患者が同意する操作をすると閲覧制限が所定期間解除されて、患者の医療情報を有するＡ医院と異なるＢ医院のコンピュータ端末１１０Ｂにおいて同意する操作のあった患者についての医療情報が表示される。
その結果、患者の医療情報（検査情報ＭＤ）を有するＡ医院と異なるＢ医院は、患者の医療情報を有するＡ医院の患者の検査結果（検査情報ＭＤ）や診断結果などの医療情報を簡単に取得して患者を診察する際に役立てることができる。
つまり、別の医療機関による重複検査や重複診断を回避して医療費や時間の負担を削減することができる。
【００３１】
なお、同意する操作について、患者がスマートフォン端末１３０を用いて医療情報管理クラウドシステム１００にログインし、スマートフォン端末１３０のみを操作してサーバ１２０における閲覧制限を解除する操作でもよい。
また、Ｂ医院のコンピュータ端末１１０Ｂのみを操作して、患者がＩＤやパスワードを入力したり、Ｂ医院のコンピュータ端末１１０Ｂのカメラにより顔認証を行ってサーバ１２０における閲覧制限を解除する操作でもよい。
【００３２】
続いて、本実施例の医療情報管理クラウドシステム１００のプログラムの動作について、より詳しく説明する。
図２に示すように、ステップＳ１では、医療情報入力判定ステップとして、医療機関用端末としてのＡ医院のタブレット端末１１０Ａにおいて患者の医療情報が入力され、タブレット端末１１０Ａからサーバ１２０へ送信されて、サーバ１２０がタブレット端末１１０Ａから患者の医療情報を受信したか否かを判定する。
入力があり患者の医療情報を受信したと判定した場合はステップＳ２へ進み、他方、まだ受信していないと判定した場合はステップＳ１を繰り返す。
【００３３】
ステップＳ２では、医療情報保存ステップとして、サーバ１２０が、医療機関用端末としてのＡ医院のタブレット端末１１０Ａにおいて入力された患者の医療情報を医療機関毎に保存する。
ステップＳ３では、同意有無判定ステップとして、サーバ１２０が、医療機関用端末としてのＢ医院のコンピュータ端末１１０Ｂおよび患者のスマートフォン端末１３０の少なくとも一方における患者の情報開示についての患者による同意する操作の有無を判定する。
同意する操作は、前述したように、患者のスマートフォン端末１３０に２次元コード１３１を表示させて、Ｂ医院のコンピュータ端末１１０Ｂの２次元コードリーダー機能によって読み取る構成でもよい。
【００３４】
これにより、患者による同意する操作の認証が２次元コード１３１の表示および読み取りによって行われる。
その結果、患者は同意する操作を簡単に行うことができる。
さらに、本実施例では、２次元コード１３１が、患者のスマートフォン端末１３０によって所定時間毎に変更して生成される構成である。
これにより、２次元コード１３１が所謂、ワンタイムパスワード認証となる。
その結果、セキュリティを強化することができる。
なお、患者のスマートフォン端末１３０に代えてサーバ１２０によって２次元コード１３１が所定時間毎に変更して生成され、患者のスマートフォン端末１３０に２次元コード１３１を表示させる構成でもよい。
そして、スマートフォン端末１３０とサーバ１２０とが連携して患者の医療情報のＩＤ、パスワードや２次元コード１３１などが管理されるように構成されているものとする。
【００３５】
また、患者のスマートフォン端末１３０の操作によってサーバ１２０における閲覧制限が解除される構成でもよい。
さらに、患者のＢ医院のコンピュータ端末１１０Ｂの操作によって、患者のＩＤやパスワードが入力されたり、Ｂ医院のコンピュータ端末１１０Ｂのカメラにより顔認証が行われてサーバ１２０における閲覧制限が解除される構成でもよい。
例えば、図３（Ａ）に示すように、Ｂ医院のコンピュータ端末１１０Ｂが、医療情報管理クラウドシステム１００にログインすると、コンピュータ端末１１０Ｂのブラウザ１１１が、医療情報管理画面１１２を表示する。
【００３６】
医療情報管理画面１１２には、一例として、患者名情報、ログインしている医療機関名情報、患者がかかっている医療機関名の項目、カテゴリー項目、検査内容の項目が表示されるように構成されている。
そして、Ｂ医院の医師が、知りたい医療情報をチェックボックスで選択して、同意認証ボタンを押すと、患者の同意する操作を受付自在な状態になるように構成してもよい。
なお、図３（Ｂ）に示すように、医療情報管理画面１１２は、医療機関名や検査項目について、時系列順に表示切り替え自在に構成されていることが望ましい。
例えば、医療情報管理画面１１２は、複数の医療機関として、Ａ医院の血液検査の結果（検査情報ＭＤ）および○○クリニックの血液検査の結果（検査情報ＭＤ）を時系列順に表示する。
これにより、同じ検査項目の検査結果が時系列順に並んで表示される。
その結果、検査結果の古い新しいによって取捨選択することができるからである。
【００３７】
例えば、直近３ヶ月の検査の有無やその結果をＢ医院の医師が知ることができ、あまり古い検査結果は、参考にするべきはなく、最近の検査結果のみを参考にするべきだからである。
さらに、同じ検査を複数行った場合について、検査結果の値の増減傾向がわかる。
その結果、医師は、患者の健康状態がよくなっているのか否かを簡単に判断することができるからである。
また、患者の既往歴が時系列順に並んで表示される。
その結果、医師は患者の既往歴を時系列順に簡単に確認することができるからである。
【００３８】
また、患者が、医療機関を指定する操作をしてから同意する操作を行う構成としてもよい。
これにより、後述するように、患者が指定した医療機関における患者の医療情報のみがＢ医院のコンピュータ端末１１０Ｂのブラウザ１１１に表示される。
その結果、患者が開示したくない医療情報については閲覧制限をかけたままにして患者のプライバシーを尊重することができる。
【００３９】
さらに、患者が、医療機関および診療科を指定する操作をしてから同意する操作を行う構成としてもよい。
これにより、後述するように、患者が指定した医療機関の診療科における患者の医療情報のみがＢ医院のコンピュータ端末１１０Ｂのブラウザ１１１に表示される。
その結果、患者が開示したくない医療情報については閲覧制限をかけたままにして患者のプライバシーを尊重することができる。
同意する操作ありと判定した場合はステップＳ４へ進み、他方、まだないと判定した場合はステップＳ３を繰り返す。
【００４０】
ステップＳ４では、閲覧制限解除ステップとして、サーバ１２０が、同意する操作があった患者の医療情報についての閲覧制限を所定期間の一例として２４時間解除する。
なお、Ｂ医院のコンピュータ端末１１０Ｂが患者のスマートフォン端末１３０に表示された２次元コード１３１を読み込んでサーバ１２０にアクセスした場合、サーバ１２０は、端末を特定する情報としてＢ医院のコンピュータ端末１１０Ｂに対して、Ｂ医院のコンピュータ端末１１０Ｂのインターネット・プロトコル・アドレス情報（ＩＰアドレス情報）、メディア・アクセス・コントロール・アドレス情報（ＭＡＣアドレス情報）、端末の現在地情報の少なくとも１つを要求し、これに基づいてＢ医院のコンピュータ端末１１０Ｂがインターネット・プロトコル・アドレス情報（ＩＰアドレス情報）、メディア・アクセス・コントロール・アドレス情報（ＭＡＣアドレス情報）や端末の現在地情報をサーバ１２０へ送信する。
そして、このＢ医院のコンピュータ端末１１０Ｂを特定して、閲覧制限を解除するように構成してもよい。
これにより、Ｂ医院のコンピュータ端末１１０Ｂが特定される。
その結果、そのＢ医院のコンピュータ端末１１０Ｂのみに対して閲覧制限を所定期間解除してセキュリティを高めることができる。
【００４１】
ステップＳ５では、医療情報表示ステップとして、Ｂ医院のコンピュータ端末１１０Ｂのブラウザ１１１が、同意する操作のあった患者についての医療情報を表示する。
図４に示すように、Ｂ医院のコンピュータ端末１１０Ｂのブラウザ１１１が、Ａ医院の検査情報ＭＤ（検査結果）であるレントゲン撮影の画像を表示する。
これにより、前述したように、患者の医療情報を有する医療機関としてのＡ医院と異なる医療機関としてのＢ医院において患者が同意する操作をすると閲覧制限が所定期間解除されて、患者の医療情報を有するＡ医院と異なるＢ医院のコンピュータ端末１１０Ｂにおいて同意する操作のあった患者についての医療情報が表示される。
その結果、患者の医療情報を有するＡ医院と異なるＢ医院は、患者の医療情報を有するＡ医院の患者の検査結果や診断結果などの医療情報を簡単に取得して患者を診察する際に役立てることができる。
つまり、別の医療機関による重複検査や重複診断を回避して医療費や時間の負担を削減することができる。
なお、同意する操作の一例として２次元コード１３１をスマートフォン端末１３０に表示してＢ医院のコンピュータ端末１１０Ｂに読み取らせたが、１次元の所謂、バーコードでもよいのは勿論である。
【００４２】
このようにして得られた本発明の実施例である医療情報管理クラウドシステム１００は、複数の医療機関に設けられて患者の医療情報を入力自在な医療機関用端末としてのＡ医院のタブレット端末１１０ＡおよびＢ医院のコンピュータ端末１１０Ｂと、患者の医療情報を保存するサーバ１２０とを備え、サーバ１２０が、医療機関用端末としてのＡ医院のタブレット端末１１０ＡおよびＢ医院のコンピュータ端末１１０Ｂにおいて入力された患者の医療情報を医療機関毎に保存し、医療機関用端末としてのＢ医院のコンピュータ端末１１０Ｂおよび患者のユーザー端末としての患者のスマートフォン端末１３０の少なくとも一方における患者の情報開示についての患者による同意する操作の有無を判定し、同意する操作ありの場合、同意する操作があった患者の医療情報についての閲覧制限を所定期間解除し、医療機関用端末としてのＢ医院のコンピュータ端末１１０Ｂのブラウザ１１１が、同意する操作のあった患者についての医療情報を表示する構成であることにより、患者の医療情報を有する医療機関と異なる医療機関は、患者の医療情報を有する医療機関の患者の検査結果や診断結果などの医療情報を簡単に取得して患者を診察する際に役立てることができる。
【００４３】
さらに、患者による同意する操作が、患者の操作によって患者のユーザー端末としてのスマートフォン端末１３０に表示された２次元コード１３１を、医療機関用端末としてのＢ医院のコンピュータ端末１１０Ｂによって読み取る構成であることにより、患者は同意する操作を簡単に行うことができる。
【００４４】
また、２次元コード１３１が、患者のユーザー端末としてのスマートフォン端末１３０またはサーバ１２０によって所定時間毎に変更して生成される構成であることにより、セキュリティを強化することができる。
【００４５】
さらに、患者による同意する操作が、少なくとも医療機関用端末としてのＢ医院のコンピュータ端末１１０Ｂを介して行われた場合、サーバ１２０が、医療機関用端末としてのＢ医院のコンピュータ端末１１０Ｂに対して端末を特定する情報を要求し、医療機関用端末としてのＢ医院のコンピュータ端末１１０Ｂが、サーバ１２０からの要求に基づいて端末を特定する情報を送信し、サーバ１２０が、端末を特定する情報に基づいて医療機関用端末としてのＢ医院のコンピュータ端末１１０Ｂのみに対して閲覧制限を所定期間解除する構成であることにより、その医療機関用端末としてのＢ医院のコンピュータ端末１１０Ｂのみに対して閲覧制限を所定期間解除してセキュリティを高めることができる。
【００４６】
また、サーバ１２０が、医療機関用端末としてのＢ医院のコンピュータ端末１１０Ｂおよび患者のユーザー端末としてのスマートフォン端末１３０の少なくとも一方における患者による医療機関を指定する操作および患者の情報開示についての患者による同意する操作の有無を判定し、指定する操作および同意する操作ありの場合、同意する操作があった患者についての指定された医療機関における医療情報についての閲覧制限を所定期間解除し、医療機関用端末としてのＢ医院のコンピュータ端末１１０Ｂのブラウザ１１１が、同意する操作のあった患者についての指定された医療機関における医療情報を表示する構成であることにより、患者が開示したくない医療情報については閲覧制限をかけたままにして患者のプライバシーを尊重することができる。
【００４７】
さらに、医療機関用端末としてのＢ医院のコンピュータ端末１１０Ｂのブラウザ１１１が、同意する操作のあった患者についての指定された医療機関における医療情報を時系列順に表示切り替え自在な構成であることにより、検査結果の古い新しいによって取捨選択することができ、医師は患者の健康状態がよくなっているのか否かを簡単に判断することができるとともに、医師は患者の既往歴を時系列順に簡単に確認することができる。
【００４８】
また、本発明の実施例である医療情報管理クラウドシステム１００のプログラムは、サーバ１２０が、医療機関用端末としてのＡ医院のタブレット端末１１０Ａにおいて入力された患者の医療情報を医療機関毎に保存する医療情報保存ステップＳ２と、サーバ１２０が、医療機関用端末としてのＢ医院のコンピュータ端末１１０Ｂおよび患者のユーザー端末としての患者のスマートフォン端末１３０の少なくとも一方における患者の情報開示についての患者による同意する操作の有無を判定する同意有無判定ステップＳ３と、同意する操作ありの場合、サーバ１２０が、同意する操作があった患者の医療情報についての閲覧制限を所定期間解除する閲覧制限解除ステップＳ４と、医療機関用端末としてのＢ医院のコンピュータ端末１１０Ｂのブラウザ１１１が、同意する操作のあった患者についての医療情報を表示する医療情報表示ステップＳ５とを具備していることにより、患者の医療情報を有する医療機関と異なる医療機関は、患者の医療情報を有する医療機関の患者の検査結果や診断結果などの医療情報を簡単に取得して患者を診察する際に役立てることができるなど、その効果は甚大である。
【符号の説明】
【００４９】
１００  ・・・  医療情報管理クラウドシステム
１１０Ａ・・・  （Ａ医院の）タブレット端末（医療機関用端末）
１１０Ｂ・・・  （Ｂ医院の）コンピュータ端末（医療機関用端末）
１１１  ・・・  ブラウザ
１１２  ・・・  医療情報管理画面
１２０  ・・・  サーバ
１３０  ・・・  （患者の）スマートフォン端末（ユーザー端末）
１３１  ・・・  ２次元コード
ＭＤ    ・・・  検査情報
【図１】
0006892093.tif 000002
【図２】
0006892093.tif 000003
【図３】
0006892093.tif 000004
【図４】
0006892093.tif 000005